(57)【要約】      （修正有）【課題】仕上がりが美しく、繰り返し使用可能であり、かつ、持ち運びが容易な、イベント用ソフトパネルを提供する。【解決手段】イベント用ソフトパネル１は、ＰＥＴ素材から構成される基材層２と、基材層の表面に印刷される印刷層３と、を備え、基材層と印刷層の全体の厚さが、０．２ｍｍ〜０．６ｍｍに形成されている。印刷層の上には、さらにラミネート層４を備えることができる。そして、基材層の裏面には、再剥離可能な両面テープが貼設されることが可能である。【選択図】図３
0003233703.tif 000002
【実用新案登録請求の範囲】
【請求項１】
合成樹脂素材から構成される基材層と、
前記基材層の表面に印刷される印刷層と、を備え、
前記基材層と前記印刷層の全体の厚さが、０．２ｍｍ〜０．６ｍｍに形成される、イベント用ソフトパネル。
【請求項２】
前記印刷層の上に、ラミネート層をさらに備える、請求項１に記載された、イベント用ソフトパネル。
【請求項３】
前記基材層の裏面に貼設された、再剥離可能な両面テープをさらに備える、請求項１又は請求項２に記載された、イベント用ソフトパネル。
【請求項４】
前記基材層の裏面の上下方向の両縁近傍に貼設されたマグネットテープをさらに備える、請求項１又は請求項２に記載された、イベント用ソフトパネル。
【請求項５】
イベント用のブースの上枠又は下枠に掛止される金属製の取付金具であって、
前記上枠又は前記下枠の溝内に掛止される掛止アーム部と、
前記掛止アーム部と一体にされ、前記マグネットテープと接触する接触面と、を有する取付金具をさらに備える、請求項４に記載された、イベント用ソフトパネル。
【考案の詳細な説明】
【技術分野】
【０００１】
本考案は、展示会やイベントなどの簡易ブースの壁面に貼られる、イベント用ソフトパネルに関するものである。
【背景技術】
【０００２】
従来から、展示会やイベントなどの簡易ブースの壁面に貼られるパネルは、剥がした際に破れたりシワになったりしてしまうため、使い捨てが基本であり、イベント期間が終了すると廃棄されていた。
【０００３】
一方、パネルではなくポスターを用いれば、軽くて持ち運びに便利であるものの、貼ったときにシワになったり、たわんだりしてしまうため、見栄えが悪くなっていた（例えば、特許文献１参照）。また、塩ビシートについてはシワもなく綺麗に見えるが、職人による施工が必要であるため費用が高額となっていた。
【先行技術文献】
【特許文献】
【０００４】
【特許文献１】実用新案登録第３１５６２４４号公報
【考案の概要】
【考案が解決しようとする課題】
【０００５】
他にも、スチレンパネルを用いれば、綺麗に見えるものの、折り曲げたり、丸めたりすることができないため、持ち運びに不便で、気軽に持ち運べない、という問題があった。
【０００６】
そこで、本考案は、仕上がりが美しく、繰り返し使用可能であり、かつ、持ち運びが容易な、イベント用ソフトパネルを提供することを目的としている。
【課題を解決するための手段】
【０００７】
前記目的を達成するために、本考案のイベント用ソフトパネルは、合成樹脂素材から構成される基材層と、前記基材層の表面に印刷される印刷層と、を備え、前記基材層と前記印刷層の全体の厚さが、０．２ｍｍ〜０．６ｍｍに形成されている。
【考案の効果】
【０００８】
このように、本考案のイベント用ソフトパネルは、合成樹脂素材から構成される基材層と、基材層の表面に印刷される印刷層と、を備え、基材層と印刷層の全体の厚さが、０．２ｍｍ〜０．６ｍｍに形成されている。このように構成されることで、仕上がりが美しく、繰り返し使用可能であり、かつ、持ち運びが容易な、イベント用ソフトパネルとなる。
【図面の簡単な説明】
【０００９】
【図１】イベント用の簡易ブースの全体構成を説明する斜視図である。
【図２】イベント用ソフトパネルの正面図である。
【図３】イベント用ソフトパネルの断面を拡大して示す拡大断面図である。
【図４】イベント用ソフトパネルの取付金具の構成を説明する断面図である。
【図５】取付金具の構成の説明図である。（ａ）は側面図であり、（ｂ）は平面図であり、（ｃ）は正面図である。
【考案を実施するための形態】
【００１０】
以下、本考案の実施の形態について図面を参照して説明する。ただし、以下の実施例に記載されている構成要素は例示であり、本考案の技術範囲をそれらのみに限定する趣旨のものではない。
【実施例】
【００１１】
（構成）
まず、図１を用いてイベント用ソフトパネル１を備える簡易ブースＢの全体構成について説明する。簡易ブースＢは、立方体や直方体に構成される複数のフレーム９０、・・・と、フレーム９０、・・・に取り付けられる複数のイベント用ソフトパネル１、・・・を備えている。なお、簡易ブースＢの形状や寸法は、図１に示したものに限定されるものではない。
【００１２】
フレーム９０は、図４に示すように、軽量の鋼材などによって構成されるものであり、断面内の上下には溝が形成されている。そして、上下のフレーム９０、９０の間には、面材であるパネル９１が嵌め込まれて固定されている。この長方形のパネル９１は、イベント用ソフトパネル１とは別の面材であり、所定の剛性を有することで簡易ブースＢ全体の剛性を保持している。
【００１３】
そして、本実施例の簡易ブースＢには、図２に示すように、パネル９１の表面に縦２７００ｍｍ×９００ｍｍの長方形のイベント用ソフトパネル１が貼設されている。このイベント用ソフトパネル１は、図３に示すように、合成樹脂素材（例えばＰＥＴ）から構成される基材層２と、基材層２の表面に印刷される印刷層３と、を備え、基材層２と印刷層３の全体の厚さが、０．２ｍｍ〜０．６ｍｍに形成されている。加えて、印刷層の上に、ラミネート層４をさらに備えている。
【００１４】
なお、基材層２、印刷層３、及び（ラミネート層４）の全体の厚さの範囲は、０．２ｍｍ〜０．６ｍｍに限定されるものではなく、丸めたり折り曲げたりできる程度の可撓性を備えていればよい。ただし、仕上がりの見栄えを考慮すると、必要以上に薄くすることは好ましくはない。したがって、全体の厚みは、０．２ｍｍ〜０．６ｍｍの範囲とすることが好ましく、約０．３ｍｍとすることがより好ましい。
【００１５】
基材層２は、例えばＰＥＴから形成される合成樹脂製のシート状の部材であり、自由に折り曲げたり、丸めたりすることで、運搬時には省スペースにして運搬することができる。そして、基材層２の表面に様々なデザイン、絵、文字などが印刷されることで、印刷層３が構成される。基材層２は、仕上がりの意匠性を損なわないように所定の厚みを有することが好ましいが、丸めたり折り曲げたりできる程度の可撓性を有するように、厚過ぎないことが好ましい。
【００１６】
なお、厚さについては、基材層２の方が厚く形成され、印刷層３の方が薄く形成されている。さらに、ラミネート層４は、印刷層３の表面側に塗布されて印刷内容を保護するする層であるが、必須の構成要素ではなく、ラミネート層４はなくてもよい。
【００１７】
そして、基材層２の裏面には、再剥離可能な両面テープ５が貼設されている。すなわち、例えば、基材層２の上下（及び左右）の端縁近傍には、両面テープ５が貼り付けられており、簡易ブースＢのパネル９１の表面に粘着力によって貼り付けることができるようになっている。
【００１８】
あるいは、基材層２の裏面には、マグネットテープ６が貼設されていてもよい。すなわち、例えば、基材層２の上下（及び左右）の端縁近傍には、マグネットテープ６が貼り付けられており、簡易ブースＢのパネル９１の表面に磁力によって貼り付けることができるようになっている。
【００１９】
この場合、簡易ブースＢ側に磁性体が存在しない場合には、図４に示すように、金属製の取付金具７が設置されることが好ましい。例えば、金属製の取付金具７が、簡易ブースＢの上側のフレーム９０（上枠）と下側のフレーム９０（下枠）にそれぞれ掛止されて固定されている。
【００２０】
取付金具７は、図５に示すように、上枠９０又は下枠９０の溝内に掛止される掛止アーム部７１と、掛止アーム部７１と一体にされ、マグネットテープ６と接触する接触面７２と、を有するように構成されている。
【００２１】
すなわち、取付金具７は、金属製の長方形の薄板から形成されており、一方の端部近傍を鈎状に折り曲げ掛止アーム７１とされ、他方の端部近傍の平面部が接触面７２とされる。なお、図示したように、掛止アーム部７１にはネジ孔を設けてもよいが、ネジ孔はなくてもよい。なお、取付金具７は、実施例で説明したような掛止アーム部７１を有する形状でなくてもよく、簡易ブースＢ側に設置（固定）可能なものであれば、どのような形状・構造であってもよい。
【００２２】
（効果）
次に、本実施例のイベント用ソフトパネル１の奏する効果を列挙して説明する。
【００２３】
（１）上述してきたように、本実施例のイベント用ソフトパネル１は、ＰＥＴ素材から構成される基材層２と、基材層２の表面に印刷される印刷層３と、を備え、基材層２と印刷層３の全体の厚さが、０．２ｍｍ〜０．６ｍｍに形成されている。このような構成であれば、仕上がりが美しく、繰り返し使用可能であり、かつ、持ち運びが容易な、イベント用ソフトパネルとなる。
【００２４】
つまり、本実施例のイベント用ソフトパネル１であれば、
・繰り返し利用できる、
・丸めて発送できる（長さ９００ｍｍの筒状に丸めることができる）、
・貼り付けが容易である、
・仕上がりが綺麗（平で硬くシワや空気が入らない）である、
という４つの効果を奏する。
【００２５】
より詳細に言えば、本実施例のイベント用ソフトパネル１であれば、
１）剥がした際に破れたりシワになったりすることがなく再利用ができるようになる、
２）再利用できるため、新たな部材を使用することなく、地球環境に優しい、
３）再利用できるため費用を節減できる、
４）丸めて持ち運ぶことができるため、大きなトラックなどを手配する必要がない。また、設置に関しては職人に頼ることなく、ポスターを貼る感覚で、気軽に設置することができる、
という効果を奏する。
【００２６】
（２）また、印刷層３の上に、ラミネート層４をさらに備えることによって、基材層２の上に印刷された印刷層３を保護して、より長期間にわたってイベント用ソフトパネル１を繰り返し使用できる。
【００２７】
（３）さらに、基材層２の裏面に貼設された、再剥離可能な両面テープ５をさらに備えることによって、簡易ブースＢのパネル９１の表面に粘着力をもってイベント用ソフトパネル１を固定することができる。
【００２８】
（４）また、基材層２の裏面の上下方向の両縁近傍に貼設されたマグネットテープ６をさらに備えることで、簡易ブースＢ側に磁性体を有する場合には、簡易ブースＢのパネル９１の表面に磁力をもってイベント用ソフトパネル１を固定することができる。
【００２９】
（５）あるいは、イベント用の簡易ブースＢの上枠９０及び/又は下枠９０に掛止される金属製の取付金具７であって、上枠９０又は下枠９０の溝内に掛止される掛止アーム部７１と、掛止アーム部７１と連続して一体にされ、マグネットテープ６と接触する接触面７２と、を有する取付金具７をさらに備えることが好ましい。このような取付金具７を備えることで、簡易ブースＢ側に磁性体がない場合であっても、マグネットテープ６をもってイベント用ソフトパネル１を固定できる。
【００３０】
また、取付金具７は、上枠９０及び/又は下枠９０に掛止アーム部７１を引っ掛けるだけで固定できるため、簡易ブースＢ側を傷つけることなく、簡易に取り付け作業を完了できる。さらに、取付金具７自体も繰り返し使用できるため、イベント用ソフトパネル１全体が繰り返し使用可能なシステムとなる。
【００３１】
以上、図面を参照して、本考案の実施例を詳述してきたが、具体的な構成は、この実施例に限らず、本考案の要旨を逸脱しない程度の設計的変更は、本考案に含まれる。
【００３２】
例えば、実施例ではイベント用ソフトパネル１を両面テープ５やマグネットテープ６（及び取付金具７）を用いて簡易ブースＢ側に固定する構成について説明したが、これに限定されるものではなく、例えば、素材を工夫することで静電吸着を利用することもできる。
【符号の説明】
【００３３】
Ｂ：簡易ブース；
１：イベント用ソフトパネル；
２：基材層；  ３：印刷層；  ４：ラミネート層；
５：両面テープ；  ６：マグネットテープ；
７：取付金具；  ７１：掛止アーム部；  ７２：接触面；
９０：フレーム（上枠、下枠）；  ９１：パネル
【図１】
0003233703.tif 000003
【図２】
0003233703.tif 000004
【図３】
0003233703.tif 000005
【図４】
0003233703.tif 000006
【図５】
0003233703.tif 000007